【手続補正書】
【提出日】平成19年3月16日(2007.3.16)
【手続補正１】
【補正対象書類名】明細書
【補正対象項目名】特許請求の範囲
【補正方法】変更
【補正の内容】
【特許請求の範囲】
【請求項１】  第１の記録密度を有する光ディスク又は上記第１の記録密度よりも高い第２の記録密度を有する光ディスクに対するデータの記録を行うデータ記録装置であって、
上記光ディスクに連続して書き込まれるデータ単位毎に、データの書き繋ぎのための複数の書き繋ぎ用ブロックを付加する書き繋ぎ用ブロック付加手段と、
上記書き繋ぎ用ブロック付加手段により書き繋ぎ用ブロックが付加されたデータに対してインターリーブ処理を含む誤り訂正符号化処理行う誤り訂正符号化処理手段と、
上記誤り訂正符号化処理手段により誤り訂正符号化処理が行われたデータを、上記書き繋ぎ用ブロック付加手段により複数の書き繋ぎ用ブロックが付加されたデータ単位毎に連続して上記光ディスクに書き込むデータ書き込み手段と、
上記データ書き込み手段によりデータが書き込まれる光ディスクの記録密度が第１の記録密度であるか、第２の記録密度であるかの違いを判別するディスク判別手段とを備え、
上記ディスク判別手段によって、上記データ書き込み手段によりデータが書き込まれる光ディスクが上記第１の記録密度を有する光ディスクであると判断されたときは、上記書き繋ぎ用ブロック付加手段が、上記第１の記録密度を有する光ディスクに連続して書き込まれるデータ毎に、２つのランアウトブロックを含む複数の書き繋ぎ用ブロックを付加すると共に、上記誤り訂正符号化処理手段が、単位遅延量を４フレームとするインターリーブ処理を行い、
上記ディスク判別手段によって、上記データ書き込み手段によりデータが書き込まれる光ディスクが上記第２の記録密度を有する光ディスクであると判断されたときは、上記書き繋ぎ用ブロック付加手段が、上記第２の記録密度を有する光ディスクに連続して書き込まれるデータ単位毎に、３つのランアウトブロックを含む複数の書き繋ぎ用ブロックを付加すると共に、上記誤り訂正符号化処理手段が、単位遅延量を７フレームとするインターリーブ処理を行うことを特徴とするデータ記録装置。
【請求項２】  上記書き繋ぎ用ブロック付加手段は、上記光ディスクに連続して書き込まれるデータ単位毎に、１つのリンクブロックと３つのランインブロックとを含む複数の書き繋ぎ用ブロックを付加することを特徴とする請求項１記載のデータ記録装置。
【請求項３】  上記第１の記録密度を有する光ディスク及び上記第２の記録密度を有する光ディスクは、位置情報に応じてウォブリングされたグルーブを有し、
上記光ディスク判別手段は、上記グルーブからの位置情報を読み出すことで得られる同期パターンに基づいて、上記データ書き込み手段によりデータが書き込まれる光ディスクの記録密度が上記第１の記録密度であるか、上記第２の記録密度であるかの違いを判別することを特徴とする請求項１記載のデータ記録装置。
【請求項４】  第１の記録密度を有する光ディスク又は上記第１の記録密度よりも高い第２の記録密度を有する光ディスクよりも記録密度が高められた光ディスクに対してデータの記録を行う方法であって、
データの記録を行う光ディスクの記録密度が上記第１の記録密度であるか、上記第２の記録密度であるかの違いを判別する第１のステップと、
上記光ディスクに連続して書き込まれるデータ単位毎に、データの書き繋ぎのための複数の書き繋ぎ用ブロックを付加する第２のステップと、
上記書き繋ぎ用ブロックが付加されたデータに対してインターリーブ処理を含む誤り訂正符号化処理行う第３のステップと、
上記第３のステップにおいて誤り訂正符号化処理が行われたデータを、上記第２のステップにおいて複数の書き繋ぎ用ブロックが付加されたデータ単位毎に連続して上記光ディスクに書き込む第４のステップとを有し、
上記第１のステップにおいて、データの記録を行う光ディスクが上記第１の記録密度を有する光ディスクであると判断したときは、上記第２のステップにおいて、上記第１の記録密度を有する光ディスクに連続して書き込まれるデータ単位毎に２つのランアウトブロックを含む複数の書き繋ぎ用ブロックを付加すると共に、上記第３のステップにおいて、書き繋ぎ用ブロックが付加されたデータに対して、単位遅延量を４フレームとするインターリーブ処理を行い、
上記第１のステップにおいて、データの記録を行う光ディスクが上記第２の記録密度を有する光ディスクよりも記録密度が高められた光ディスクであると判断したときは、上記第２のステップにおいて、上記第２の記録密度を有する光ディスクに連続して書き込まれるデータ単位毎に３つのランアウトブロックを含む複数の書き繋ぎ用ブロックを付加すると共に、上記第３のステップにおいて、書き繋ぎ用ブロックが付加されたデータに対して、単位遅延量を７フレームとするインターリーブ処理を行うことを特徴とするデータ記録方法。
【請求項５】  上記第２のステップにおいて、上記光ディスクに連続して書き込まれるデータ単位毎に、１つのリンクブロックと３つのランインブロックとを含む複数の書き繋ぎ用ブロックを付加することを特徴とする請求項４記載のデータ記録方法。
【請求項６】  上記規格化された既存の光ディスク及び上記既存の光ディスクよりも記録密度が高められた光ディスクは、位置情報に応じてウォブリングされたグルーブを有し、
上記第１のステップにおいて、上記グルーブからの位置情報を読み出すことで得られる同期パターンに基づいて、上記データ書き込み手段によりデータが書き込まれる光ディスクの記録密度が上記第１の記録密度であるか、上記第２の記録密度であるかの違いを判別することを特徴とする請求項４記載のデータ記録方法。
【手続補正２】
【補正対象書類名】明細書
【補正対象項目名】００１６
【補正方法】変更
【補正の内容】
【００１６】
【課題を解決するための手段】
本発明に係るデータ記録装置は、第１の記録密度を有する光ディスク又は上記第１の記録密度よりも高い第２の記録密度を有する光ディスクに対するデータの記録を行うデータ記録装置であって、上記光ディスクに連続して書き込まれるデータ単位毎に、データの書き繋ぎのための複数の書き繋ぎ用ブロックを付加する書き繋ぎ用ブロック付加手段と、上記書き繋ぎ用ブロック付加手段により書き繋ぎ用ブロックが付加されたデータに対してインターリーブ処理を含む誤り訂正符号化処理行う誤り訂正符号化処理手段と、上記誤り訂正符号化処理手段により誤り訂正符号化処理が行われたデータを、上記書き繋ぎ用ブロック付加手段により複数の書き繋ぎ用ブロックが付加されたデータ単位毎に連続して上記光ディスクに書き込むデータ書き込み手段と、上記データ書き込み手段によりデータが書き込まれる光ディスクの記録密度が第１の記録密度であるか、第２の記録密度であるかの違いを判別するディスク判別手段とを備えている。
【手続補正３】
【補正対象書類名】明細書
【補正対象項目名】００１７
【補正方法】変更
【補正の内容】
【００１７】
そして、このデータ記録装置では、上記ディスク判別手段によって、上記データ書き込み手段によりデータが書き込まれる光ディスクが上記第１の記録密度を有する光ディスクであると判断されたときは、上記書き繋ぎ用ブロック付加手段が、上記第１の記録密度を有する光ディスクに連続して書き込まれるデータ毎に、２つのランアウトブロックを含む複数の書き繋ぎ用ブロックを付加すると共に、上記誤り訂正符号化処理手段が、単位遅延量を４フレームとするインターリーブ処理を行い、上記ディスク判別手段によって、上記データ書き込み手段によりデータが書き込まれる光ディスクが上記第２の記録密度を有する光ディスクであると判断されたときは、上記書き繋ぎ用ブロック付加手段が、上記第２の記録密度を有する光ディスクに連続して書き込まれるデータ単位毎に、３つのランアウトブロックを含む複数の書き繋ぎ用ブロックを付加すると共に、上記誤り訂正符号化処理手段が、単位遅延量を７フレームとするインターリーブ処理を行うようにしている。
【手続補正４】
【補正対象書類名】明細書
【補正対象項目名】００１８
【補正方法】変更
【補正の内容】
【００１８】
このデータ記録装置によれば、ディスク判別手段によって記録対象の光ディスクが第１の記録密度を有する光ディスクであると判断されたときは、書き繋ぎ用ブロック付加手段によって、第１の記録密度を有する光ディスクに連続して書き込まれるデータ毎に、２つのランアウトブロックを含む複数の書き繋ぎ用ブロックが付加される。そして、誤り訂正符号化処理手段によって、書き繋ぎ用ブロックが付加されたデータに対して、単位遅延量を４フレームとするインターリーブ処理が行われる。そして、単位遅延量を４フレームとするインターリーブ処理が行われたデータが、データ書き込み手段によって、第１の記録密度を有する光ディスクに書き込まれる。
【手続補正５】
【補正対象書類名】明細書
【補正対象項目名】００１９
【補正方法】変更
【補正の内容】
【００１９】
また、このデータ記録装置によれば、ディスク判別手段によって記録対象の光ディスクが第２の記録密度を有する光ディスクであると判断されたときは、書き繋ぎ用ブロック付加手段によって、第２の記録密度を有する光ディスクに連続して書き込まれるデータ毎に、３つのランアウトブロックを含む複数の書き繋ぎ用ブロックが付加される。そして、誤り訂正符号化処理手段によって、書き繋ぎ用ブロックが付加されたデータに対して、単位遅延量を７フレームとするインターリーブ処理が行われる。そして、単位遅延量を７フレームとするインターリーブ処理が行われたデータが、データ書き込み手段によって、第２の記録密度を有する光ディスクに書き込まれる。
【手続補正６】
【補正対象書類名】明細書
【補正対象項目名】００２１
【補正方法】変更
【補正の内容】
【００２１】
また、本発明に係るデータ記録方法は、第１の記録密度を有する光ディスク又は上記第１の記録密度よりも高い第２の記録密度を有する光ディスクよりも記録密度が高められた光ディスクに対してデータの記録を行う方法であって、データの記録を行う光ディスクの記録密度が上記第１の記録密度であるか、上記第２の記録密度であるかの違いを判別する第１のステップと、上記光ディスクに連続して書き込まれるデータ単位毎に、データの書き繋ぎのための複数の書き繋ぎ用ブロックを付加する第２のステップと、上記書き繋ぎ用ブロックが付加されたデータに対してインターリーブ処理を含む誤り訂正符号化処理行う第３のステップと、上記第３のステップにおいて誤り訂正符号化処理が行われたデータを、上記第２のステップにおいて複数の書き繋ぎ用ブロックが付加されたデータ単位毎に連続して上記光ディスクに書き込む第４のステップとを有している。
【手続補正７】
【補正対象書類名】明細書
【補正対象項目名】００２２
【補正方法】変更
【補正の内容】
【００２２】
そして、このデータ記録方法では、上記第１のステップにおいて、データの記録を行う光ディスクが上記第１の記録密度を有する光ディスクであると判断したときは、上記第２のステップにおいて、上記第１の記録密度を有する光ディスクに連続して書き込まれるデータ単位毎に２つのランアウトブロックを含む複数の書き繋ぎ用ブロックを付加すると共に、上記第３のステップにおいて、書き繋ぎ用ブロックが付加されたデータに対して、単位遅延量を４フレームとするインターリーブ処理を行い、上記第１のステップにおいて、データの記録を行う光ディスクが上記第２の記録密度を有する光ディスクよりも記録密度が高められた光ディスクであると判断したときは、上記第２のステップにおいて、上記第２の記録密度を有する光ディスクに連続して書き込まれるデータ単位毎に３つのランアウトブロックを含む複数の書き繋ぎ用ブロックを付加すると共に、上記第３のステップにおいて、書き繋ぎ用ブロックが付加されたデータに対して、単位遅延量を７フレームとするインターリーブ処理を行うようにしている。